(57)【要約】【課題】来訪者の口の動きを判断して、玄関子機とハンズフリーインターホン親機の通話を送話受話のスムーズに切り替えることを目的とする。【解決手段】玄関周辺の映像を撮像する子機カメラを有する玄関子機と、玄関子機からの映像を出力するモニタを有したハンズフリーインターホン親機で構成されるインターホン装置において、ハンズフリーインターホン親機には、玄関子機との送話受話の切替を行う通話路切替部と、子機カメラからの映像信号を解析し、人物の口の動きを感知する子機口動作判断部と、子機口動作判断部で人物の口の動きを感知したとき、通話路切替部を玄関子機からの受話に切り替える制御を行うＣＰＵを備えたことを特徴とする。【選択図】  図１
2010154005.tif 000002
【特許請求の範囲】
【請求項１】
玄関周辺の映像を撮像する子機カメラ（１０１）を有する玄関子機（１）と、前記玄関子機からの映像を出力するモニタ（２０１）を有したハンズフリーインターホン親機（２）で構成されるインターホン装置において、
前記ハンズフリーインターホン親機には、前記玄関子機との送話受話の切替を行う通話路切替部（２０５）と、前記子機カメラからの映像信号を解析し、人物の口の動きを感知する子機口動作判断部（２０７）と、前記子機口動作判断部で人物の口の動きを感知したとき、前記通話路切替部を前記玄関子機からの受話に切り替える制御を行うＣＰＵ（２０６）を備えたことを特徴とするハンズフリーインターホン装置。
【請求項２】
前記ハンズフリーインターホン親機には、居室内の映像を撮像する親機カメラ（２０２）と、前記親機カメラからの映像信号を解析し、人物の口の動きを感知する親機口動作判断部（２０８）を備えることで、前記親機口動作判断部で人物の口の動きを感知したとき、前記通話路切替部を前記玄関子機への送話に切り替えることができる請求項１記載のハンズフリーインターホン装置。
【発明の詳細な説明】
【技術分野】
【０００１】
本発明はハンズフリーインターホン装置の切り替わりを人物の口の動きを判断して通話路の切替をスムーズに行うことができるハンズフリーインターホン装置に関する。
【背景技術】
【０００２】
従来のインターホン装置は、居室親機に受話器をなくしてハンズフリーで玄関子機と通話することが可能であった。例えば、特許文献１に記載されたインターホン室内親機にはボイススイッチを備えており、ドアホン子機から入力された音声信号と、居室親機から入力された音声信号を比較して、送話受話の切替りを行っていた。
【特許文献１】特開２００２−０６４６４４
【発明の開示】
【発明が解決しようとする課題】
【０００３】
しかしながら、インターホン室内親機またはドアホン子機に周囲雑音等の過大音が入力された場合、話者の声による送話受話の切替りが行われなくなり、話者の声が聞こえなくなったり、途切れたりして会話が成り立たなくなっていた。
【０００４】
本発明は、この難点を解決するためになされたもので、さらに話者の口の動きを認識するパラメーターを追加する事により話者をより正確に認識し、正確な通話方向を確立する事ができる。
【課題を解決するための手段】
【０００５】
上記課題を解決するために、請求項１に記載の発明は、玄関周辺の映像を撮像する子機カメラを有する玄関子機と、玄関子機からの映像を出力するモニタを有したハンズフリーインターホン親機で構成されるインターホン装置において、ハンズフリーインターホン親機には、玄関子機との送話受話の切替を行う通話路切替部と、子機カメラからの映像信号を解析し、人物の口の動きを感知する子機口動作判断部と、子機口動作判断部で人物の口の動きを感知したとき、通話路切替部を玄関子機からの受話に切り替える制御を行うＣＰＵを備えたことを特徴とする。
【０００６】
請求項２に記載の発明は、ハンズフリーインターホン親機には、居室内の映像を撮像する親機カメラと、親機カメラからの映像信号を解析し、人物の口の動きを感知する親機口動作判断部を備えることで、親機口動作判断部で人物の口の動きを感知したとき、通話路切替部を玄関子機への送話に切り替えることができる。
【発明の効果】
【０００７】
請求項１の発明によれば、来訪者の口の動きを判断して、玄関子機からハンズフリーインターホン親機への受話に切り替えることができる。
請求項２の発明によれば、居住者の口の動きを判断して、ハンズフリーインターホン親機から玄関子機への送話に切り替えることができる。
【発明を実施するための最良の形態】
【０００８】
以下、本発明によるハンズフリーインターホン装置を適用した好ましい形態の実施例について、図１を参照して説明する。
玄関子機１には、玄関周辺の映像を撮像する子機カメラ１０１と、ハンズフリーインターホン親機２を呼出すための呼出ボタン１０２と、ハンズフリーインターホン親機２と通話するために子機音響部１０３と、子機Ｉ／Ｆ１０４を備えている。
【０００９】
ハンズフリーインターホン親機２には、子機カメラ１０１からの映像信号を出力するモニタ２０１と、居室内の映像を撮像する親機カメラ２０２と、玄関子機１から呼出された時に応答するための通話ボタン２０３と、玄関子機１と通話するための親機音響部２０４と、子機音響部１０３と親機音響部２０４の通話路を切り替える通話路切替部２０５と、子機カメラ１０１からの映像信号を解析し、口が動いているかを判断する子機口動作判断部２０７と、親機カメラ２０２からの映像信号を解析し、口が動いているかを判断する親機口動作判断部２０８と、インターホン装置を制御するＣＰＵ２０６と、親機Ｉ／Ｆ２０９で構成されている。
【００１０】
このようなハンズフリーインターホン装置において、動作説明を行う。まずは、通常の玄関子機１からの呼出、通話を説明する。
玄関子機１の呼出ボタン１０２が押されると、呼出信号は子機Ｉ／Ｆ１０４を経てハンズフリーインターホン親機２へ送られる。玄関子機１から送られてきた呼出信号は、親機Ｉ／Ｆ２０９を経由してＣＰＵ２０６に送られ、親機音響部にて２０４から呼出音が鳴動される。また同時に、玄関子機１の子機音響部１０３から入力された音声を子機Ｉ／Ｆ１０４、親機Ｉ／Ｆ２０９を経由してハンズフリーインターホン親機２の親機音響部２０４より出力する。この時、ハンズフリーインターホン親機２の通話ボタン２０３を押すと、ハンズフリーインターホン親機２の親機音響部２０４から入力された音声を玄関子機１の子機音響部１０３に出力し、玄関子機１とハンズフリーインターホン親機２の双方向通話が行われる。
【００１１】
この時、ハンズフリーインターホン親機２から玄関子機１への送話と、玄関子機１からハンズフリーインターホン親機２への受話の切り替わりは、大きなレベルの音声信号を通過させるように、通話路切替部２０５によって行われる。
さらに、通話路切替部２０５の切り替わりは、玄関子機１、ハンズフリーインターホン親機２からの映像信号によって通話路の切り替わりが制御される。子機カメラ１０１の映像信号が子機口動作判断部２０７へ送信され、玄関先の人物が話をしていることが判断されると、ＣＰＵ２０６は、通話路切替部２０５に玄関子機１からハンズフリーインターホン親機２への受話に切り替える制御を行う。また、親機カメラ２０２の映像信号が親機口動作判断部２０８へ送信され、居室内の人物が話をしていることが判断されると、ＣＰＵ２０６は、通話路切替部２０５にハンズフリーインターホン親機２から玄関子機１への送話に切り替える制御を行う。
【００１２】
また、子機口動作判断部２０７、親機口動作判断部２０８の両者とも人物が話をしていると判断した場合には、送話、受話のレベルを比較して大きなレベルの音声信号を通過させるように、ＣＰＵ２０６にて判断し、通話路切替部２０５によって行われる。
【図面の簡単な説明】
【００１３】
【図１】本発明にかかるハンズフリーインターホン装置の実施例を示すブロック図。
【符号の説明】
【００１４】
１・・・                       玄関子機
１０１・・・                          子機カメラ
２・・・                       ハンズフリーインターホン親機
２０１・・・                          モニタ
２０５・・・                          通話路切替部
２０６・・・                          ＣＰＵ
２０７・・・                          子機口動作判定部
【図１】
2010154005.tif 000003